(57)【要約】【課題】たとえ負荷側端子に負荷配線が接続されていたとしても、容易に絶縁抵抗測定試験等を行うことができる配線用遮断器を提供する。【解決手段】本体ケース４の前面側における差込孔６の開口を、端子孔５よりも右側まで広がるような左右方向へ長い開口とするとともに、本体ケース４内に、端子座９に設けられた接触部１５に当接する当接部２２ａと、当接部２２ａから右方へ突出する補助部２２ｂとを有する補助金具２２を、補助部２２ｂが接触部２２ａよりも右方へ突出するような状態で設置し、差込孔６内に接触部１５と補助部２２ｂとの両方が露出するようにした。したがって、差込孔６が負荷配線３１により覆われにくく、差込孔６への測定端子の差し込みが容易である。また、測定端子が、接触部１５ではなく、補助部２２ｂに接触したとしても絶縁抵抗測定試験等を実施することができるため、一層スムーズに試験を実施することができる。【選択図】図６
2020194670.tif 000002
【特許請求の範囲】
【請求項１】
本体ケースの背面に電源側端子が、前面に負荷側端子が夫々配置され、単相三線式電路に使用可能とされているとともに、
前記本体ケースの前面に、前記本体ケースに内蔵されている端子座に計器の測定端子を接触させるための差込孔が、前記負荷側端子の各端子毎に対応して開設された配線用遮断器であって、
前記本体ケースの前面において、前記差込孔が、前記負荷側端子に負荷配線を接続するための端子孔よりも左右方向で外側まで広がっているとともに、
前記端子座における前記測定端子との接触部に当接する当接部と、前記当接部から左右方向へ延びる補助部とを有する補助金具が、前記補助部を前記接触部よりも左右方向へ突出させた状態で、前記本体ケース内に設置されており、
前記差込孔内に、前記接触部と前記補助部とが露出していることを特徴とする配線用遮断器。
【請求項２】
本体ケースの背面に電源側端子が、前面に負荷側端子が夫々配置され、単相三線式電路に使用可能とされているとともに、
前記本体ケースの前面に、前記本体ケースに内蔵されている端子座に計器の測定端子を接触させるための差込孔が、前記負荷側端子の各端子毎に対応して開設された配線用遮断器であって、
前記本体ケースの前面において、前記差込孔が、前記負荷側端子に負荷配線を接続するための端子孔よりも左右方向で外側まで広がっているとともに、
前記差込孔の開口面積が、前記本体ケースの前面側よりも前記本体ケース内側の方が狭くなっており、
前記差込孔の内面に、前記本体ケースの前面側から前記本体ケース内側へ向かって前記差込孔を先細りさせる傾斜面及び／又はＲ面が設けられていることを特徴とする配線用遮断器。
【発明の詳細な説明】
【技術分野】
【０００１】
本発明は、たとえば分電盤内等に設置される配線用遮断器に関するものである。
【背景技術】
【０００２】
従来、単相三線式電路に使用される配線用遮断器としては、本体ケースの前面に複数の速結端子で構成される負荷側端子が、後面に電源側端子が夫々配置されているとともに、本体ケースの前面において、速結端子が上下方向へ一列に並べて配列された薄型のものが考案されている。また、本体ケースの前面で、各負荷側端子を構成する端子孔の近傍となる位置に、絶縁抵抗測定試験等を行う際に各種計器の測定端子を差し込むための差込孔を開設したものも考案されている（たとえば、特許文献１）。
【先行技術文献】
【特許文献】
【０００３】
【特許文献１】特開２００７−２８７５８２号公報
【発明の概要】
【発明が解決しようとする課題】
【０００４】
しかしながら、特許文献１に記載されているような配線用遮断器では、各負荷側端子に負荷配線が接続されていると、負荷配線によって差込孔が覆われてしまい、差込孔へ測定端子を差し込みにくいことがあるという問題が生じていた。
【０００５】
そこで、本発明は、たとえ負荷側端子に負荷配線が接続されていたとしても、容易に絶縁抵抗測定試験等を行うことができる配線用遮断器を提供しようとするものである。
【課題を解決するための手段】
【０００６】
上記目的を達成するために、本発明のうち請求項１に記載の発明は、本体ケースの背面に電源側端子が、前面に負荷側端子が夫々配置され、単相三線式電路に使用可能とされているとともに、前記本体ケースの前面に、前記本体ケースに内蔵されている端子座に計器の測定端子を接触させるための差込孔が、前記負荷側端子の各端子毎に対応して開設された配線用遮断器であって、前記本体ケースの前面において、前記差込孔が、前記負荷側端子に負荷配線を接続するための端子孔よりも左右方向で外側まで広がっているとともに、前記端子座における前記測定端子との接触部に当接する当接部と、前記当接部から左右方向へ延びる補助部とを有する補助金具が、前記補助部を前記接触部よりも左右方向へ突出させた状態で、前記本体ケース内に設置されており、前記差込孔内に、前記接触部と前記補助部とが露出していることを特徴とする。
また、上記目的を達成するために、本発明のうち請求項２に記載の発明は、本体ケースの背面に電源側端子が、前面に負荷側端子が夫々配置され、単相三線式電路に使用可能とされているとともに、前記本体ケースの前面に、前記本体ケースに内蔵されている端子座に計器の測定端子を接触させるための差込孔が、前記負荷側端子の各端子毎に対応して開設された配線用遮断器であって、前記本体ケースの前面において、前記差込孔が、前記負荷側端子に負荷配線を接続するための端子孔よりも左右方向で外側まで広がっているとともに、前記差込孔の開口面積が、前記本体ケースの前面側よりも前記本体ケース内側の方が狭くなっており、前記差込孔の内面に、前記本体ケースの前面側から前記本体ケース内側へ向かって前記差込孔を先細りさせる傾斜面及び／又はＲ面が設けられていることを特徴とする。
【発明の効果】
【０００７】
本発明によれば、本体ケースの前面において、差込孔が、負荷側端子に負荷配線を接続するための端子孔よりも左右方向で外側まで広がっている。したがって、たとえ負荷側端子に負荷配線が接続されていたとしても、差込孔が負荷配線により覆われにくく、差込孔への測定端子の差し込みを容易に行うことができる。
また、請求項１に記載の発明によれば、端子座における測定端子との接触部に当接する当接部と、当接部から左右方向へ延びる補助部とを有する補助金具を、補助部を接触部よりも左右方向へ突出させた状態で本体ケース内に設置し、差込孔内に接触部と補助部とを露出させている。したがって、計器の測定端子が、接触部ではなく補助部に接触したとしても絶縁抵抗測定試験等を実施することができるため、一層スムーズに試験を実施することができる。
一方、請求項２に記載の発明によれば、差込孔の開口面積を、本体ケースの前面側よりも本体ケース内側の方を狭くし、差込孔の内面に、本体ケースの前面側から本体ケース内側へ向かって差込孔を先細りさせる傾斜面及び／又はＲ面を設けている。したがって、該傾斜面及び／又はＲ面が、差込孔へ差し込まれた測定端子を端子座の接触部へと誘導する案内面として機能し、絶縁抵抗測定試験等をスムーズに実施可能な配線用遮断器とすることができる。
【図面の簡単な説明】
【０００８】
【図１】左ケースが取り外された状態にある第１実施例の配線用遮断器を側方から示した説明図である。
【図２】図１中における端子孔及び差込孔近傍を拡大して示した説明図である。
【図３】図２中のＡ−Ａ線断面を示した説明図である。
【図４】端子座及び補助金具を示した斜視説明図である。
【図５】第１実施例の配線用遮断器において、端子孔及び差込孔近傍を斜め方向から拡大して示した説明図である。
【図６】負荷配線が接続された状態にある第１実施例の配線用遮断器を上方から示した説明図である。
【図７】左ケースが取り外された状態にある第２実施例の配線用遮断器を側方から示した説明図である。
【図８】図７中のＢ−Ｂ線断面を示した説明図である。
【図９】端子座を示した斜視説明図である。
【図１０】第２実施例の配線用遮断器において、端子孔及び差込孔近傍を斜め方向から拡大して示した説明図である。
【図１１】負荷配線が接続された状態にある第２実施例の配線用遮断器を上方から示した説明図である。
【発明を実施するための形態】
【０００９】
以下、本発明の一実施形態となる配線用遮断器について、図面にもとづき詳細に説明する。
（第１実施例）
図１は、左ケース４ｂが取り外された状態にある配線用遮断器１を側方から示した説明図である。図２は、図１中における端子孔５及び差込孔６近傍を拡大して示した説明図である。図３は、図２中のＡ−Ａ線断面を示した説明図である。図４は、端子座９及び補助金具２２を示した斜視説明図である。図５は、端子孔５及び差込孔６近傍を斜め方向から拡大して示した説明図である。図６は、負荷配線３１、３１・・が接続された状態にある配線用遮断器１を上方から示した説明図である。
【００１０】
単相三線式電路に使用される配線用遮断器１は、後述するような端子座９等を保持する基台４ａの左右両側に左ケース４ｂや右ケース４ｃを組み付けてなる本体ケース４を有しており、本体ケース４の上面には、ハンドル７が前後方向へ回動操作可能に設けられている。そして、ハンドル７を回動操作することで、本体ケース４内に組み込まれている遮断機構３０が作動し、後述する電源側端子２と負荷側端子３とを電気的につなぐ電路が接続／開放されるようになっている。なお、本体ケース４内には、過電流検知機構も設けられており、過電流を検知すると上記遮断機構３０が開動作するようになっている。
【００１１】
また、配線用遮断器１の後面には、プラグイン方式の端子Ｐ１、Ｐ２、Ｐ３を上下方向へ一列に備えてなる電源側端子２が配置されている。各端子Ｐ１〜Ｐ３は、本体ケース４を左右方向に貫通したコ字状に切り欠いて形成されており、分電盤内等に配設される電源ラインである導体バー（図示せず）や該導体バーから分岐された分岐バー（図示せず）を挿入接続可能となっている。
【００１２】
一方、配線用遮断器１の前面は、前側へ向かって下降傾斜する傾斜面に形成されており、該傾斜面には、負荷配線３１を挿入接続可能な３つの端子Ｌ１、Ｌ２、Ｌ３を傾斜方向へ一列に備えてなる負荷側端子３が配置されている。各端子Ｌ１〜Ｌ３は、本体ケース４の前面に開口しており、本体ケース４前面の傾斜方向に直交する方向へ負荷配線を挿入可能な端子孔５と、本体ケース４における端子孔５の内側となる位置に設けられ、端子孔５を介して本体ケース４外に連通する収納部２１と、収納部２１内に設置される金属製の端子座９と、端子座９に取り付けられ、端子孔５を介して収納部２１内へ挿入された負荷配線３１が接触する端子金具８とを有しており、所謂速結端子として機能するようになっている。
【００１３】
また、各端子Ｌ１〜Ｌ３では、端子孔５の上側に隣接して、絶縁抵抗測定試験を行うための計器の測定端子を差し込み可能な差込孔６が開設されている。各差込孔６は、測定端子の差し込み方向が上下方向となるように、すなわち負荷配線３１の挿入方向とは異なる方向となるように開設されており、端子金具８が収納される収納部２１内に連通している。そして、端子座９の一部（後述する接触部１５）が差込孔６内に露出しており、差込孔６に差し込んだ測定端子の先端を接触させることによって、絶縁抵抗測定試験等を実施することができる。
【００１４】
ここで、本発明の要部となる端子座９へ測定端子を接触させるための構造について詳細に説明する。
まず端子座９について説明すると、端子座９は金属板を折り曲げてなる従来周知のもので、前後方向へ長い底部１１と、底部１１から更に後方へ延びる電路部１２と、底部１１の右縁から上方へ立ち上がる側部１３と、側部１３の上縁から底部１１と対向する側へ折り曲げられた天部１４と、天部１４から前方へ延び、測定端子の先端が接触可能な接触部１５とを有している。そして、端子座９は、収納部２１の底面上に底部１１を載置する格好で基台４ａに設置されており、該設置状態にあって、端子座９の側部１３は収納部２１の側面に、天部１４は収納部２１の天面に夫々当接している。また、接触部１５は、収納部２１から連続して基台４ａに設けられ、収納部２１の一部とされている凹部１６内に収納されている。なお、凹部１６の左右幅は、接触部１５の左右幅よりも広く形成されている。また、電路部１２の先端には、図示しない固定接点を取付可能となっている。
【００１５】
また、差込孔６は、左右方向へ長い孔とされており、本体ケース４の前面側では、端子孔５よりも右側まで広がるような開口となっている。さらに、本体ケース４内における収納部２１（より具体的に言うと凹部１６）との連通側についても左右方向へ長い開口とされており、接触部１５のみならず、凹部１６における接触部１５よりも右側部分についても露出させている。一方、差込孔６の前後幅は、差込孔６の前面（差込孔６の内面）が傾斜面６ａとされていることで、本体ケース４の前面側から本体ケース４内側へ向かって徐々に狭くなっている（すなわち、差込孔６の内面に、本体ケース４の前面側から本体ケース４内側へ向かって差込孔６を先細りさせる傾斜面６ａが設けられている）。
【００１６】
さらに、凹部１６内には、接触部１５よりも右側へ突出する補助金具２２が設置されている。補助金具２２は、薄い金属板であって、上面視矩形の当接部２２ａと、当接部２２ａの右手前隅から右方へ突出する舌状の補助部２２ｂとを有する。そして、補助金具２２は、当接部２２ａが接触部１５と凹部１６の底面とにより上下から挟まれた状態で、凹部１６内に設置される。また、該設置状態にあって、補助部２２ｂが接触部１５よりも右側へ突出しており、接触部１５と共に差込孔６内に露出した状態となっている。
【００１７】
以上のような構成を有する配線用遮断器１によれば、本体ケース４の前面側における差込孔６の開口を、端子孔５よりも右側まで広がるような左右方向へ長い開口とするとともに、本体ケース４内に、端子座９に設けられた接触部１５に当接する当接部２２ａと、当接部２２ａから右方へ突出する補助部２２ｂとを有する補助金具２２を、補助部２２ｂが接触部１５よりも右方へ突出するような状態で設置した。そして、差込孔６内に、接触部１５と補助部２２ｂとの両方が露出するようにした。したがって、たとえ端子Ｌ１〜Ｌ３に負荷配線３１が接続されていたとしても、差込孔６が負荷配線３１により覆われにくく、差込孔６への測定端子の差し込みが容易である。また、測定端子が、接触部１５ではなく、補助部２２ｂに接触したとしても絶縁抵抗測定試験等を実施することができるため、一層スムーズに試験を実施することができる。
【００１８】
さらに、補助金具２２の当接部２２ａを、端子座９の接触部１５と凹部１６の底面とにより上下から挟み込むことで、凹部１６内に補助金具２２を設置しているため、補助金具２２を設置するための構成要素（たとえば係止爪等）を新たに設ける必要がなく、構造の簡素化を図ることができる上、補助金具２２の設置、ひいては配線用遮断器１の組み立てを容易に行うことができる。
加えて、補助金具２２を設置するという構成を採用したことで、従来周知の端子座９をそのまま利用することができ、製造コストの高騰を抑制することができる。
【００１９】
（第２実施例）
図７は、左ケース１０４ｂが取り外された状態にある配線用遮断器１０１を側方から示した説明図である。図８は、図７中のＢ−Ｂ線断面を示した説明図である。図９は、端子座１０９を示した斜視説明図である。図１０は、端子孔１０５及び差込孔１０６近傍を斜め方向から拡大して示した説明図である。図１１は、負荷配線１３１、１３１・・が接続された状態にある配線用遮断器１０１を上方から示した説明図である。
【００２０】
単相三線式電路に使用される配線用遮断器１０１は、後述するような端子座１０９等を保持する基台１０４ａの左右両側に左ケース１０４ｂや右ケース１０４ｃを組み付けてなる本体ケース１０４を有しており、本体ケース１０４の上面には、ハンドル１０７が前後方向へ回動操作可能に設けられている。そして、ハンドル１０７を回動操作することで、本体ケース１０４内に組み込まれている遮断機構１３０が作動し、後述する電源側端子１０２と負荷側端子１０３とを電気的につなぐ電路が接続／開放されるようになっている。なお、本体ケース１０４内には、過電流検知機構も設けられており、過電流を検知すると上記遮断機構１３０が開動作するようになっている。
【００２１】
また、配線用遮断器１０１の後面には、プラグイン方式の端子Ｐ１０１、Ｐ１０２、Ｐ１０３を上下方向へ一列に備えてなる電源側端子１０２が配置されている。各端子Ｐ１０１〜Ｐ１０３は、本体ケース１０４を左右方向に貫通したコ字状に切り欠いて形成されており、分電盤内等に配設される電源ラインである導体バー（図示せず）や該導体バーから分岐された分岐バー（図示せず）を挿入接続可能となっている。
【００２２】
一方、配線用遮断器１０１の前面は、前側へ向かって下降傾斜する傾斜面に形成されており、該傾斜面には、負荷配線１３１を挿入接続可能な３つの端子Ｌ１０１、Ｌ１０２、Ｌ１０３を傾斜方向へ一列に備えてなる負荷側端子１０３が配置されている。各端子Ｌ１０１〜Ｌ１０３は、本体ケース１０４の前面に開口しており、本体ケース１０４前面の傾斜方向に直交する方向へ負荷配線を挿入可能な端子孔１０５と、本体ケース１０４における端子孔１０５の内側となる位置に設けられ、端子孔１０５を介して本体ケース１０４外に連通する収納部１２１と、収納部１２１内に設置される金属製の端子座１０９と、端子座１０９に取り付けられ、端子孔１０５を介して収納部１２１内へ挿入された負荷配線１３１が接触する端子金具１０８とを有しており、所謂速結端子として機能するようになっている。
【００２３】
また、各端子Ｌ１０１〜Ｌ１０３では、端子孔１０５の上側に隣接して、絶縁抵抗測定試験を行うための計器の測定端子を差し込み可能な差込孔１０６が開設されている。各差込孔１０６は、測定端子１３２の差し込み方向が上下方向となるように、すなわち負荷配線１３１の挿入方向とは異なる方向となるように開設されており、端子金具１０８が収納される収納部１２１内に連通している。そして、端子座１０９の一部（後述する接触部１１５）が差込孔１０６内に露出しており、差込孔１０６に差し込んだ測定端子１３２の先端を接触させることによって、絶縁抵抗測定試験等を実施することができる。
【００２４】
ここで、本発明の要部となる端子座１０９へ測定端子１３２を接触させるための構造について詳細に説明する。
まず端子座１０９について説明すると、端子座１０９は金属板を折り曲げてなる従来周知のもので、前後方向へ長い底部１１１と、底部１１１から更に後方へ延びる電路部１１２と、底部１１１の右縁から上方へ立ち上がる側部１１３と、側部１１３の上縁から底部１１１と対向する側へ折り曲げられた天部１１４と、天部１１４から前方へ延び、測定端子１３２の先端が接触可能な接触部１１５とを有している。そして、端子座１０９は、収納部１２１の底面上に底部１１１を載置する格好で基台１０４ａに設置されており、該設置状態にあって、端子座１０９の側部１１３は収納部１２１の側面に、天部１１４は収納部１２１の天面に夫々当接している。また、接触部１１５は、収納部１２１から連続して基台１０４ａに設けられ、収納部１２１の一部とされている凹部１１６内に収納されている。なお、電路部１１２の先端には、図示しない固定接点を取付可能となっている。
【００２５】
また、差込孔１０６は、左右方向へ長い孔とされており、本体ケース１０４の前面側では、端子孔１０５よりも右側まで広がるような開口となっている。一方、本体ケース１０４内における収納部１２１（より具体的に言うと凹部１１６）との連通側については、本体ケース１０４の前面側よりも開口面積が狭くなっており、左右幅が端子座１０９の接触部１１５の左右幅と略同じ程度の開口となっている。そして、差込孔１０６の内面（特に差込孔１０６の右側面）は、本体ケース１０４の前面側の開口縁から本体ケース１０４内側の開口縁にわたり、差込孔１０６を先細りさせるような傾斜面１０６ａとされている。なお、差込孔１０６は、前後幅についても本体ケース１０４の前面側の方が本体ケース１０４内側よりも広くなっており、差込孔１０６の前面も同様の傾斜面となっている。
【００２６】
以上のような構成を有する配線用遮断器１０１によれば、本体ケース４の前面側における差込孔１０６の開口を、端子孔１０５よりも右側まで広がるような左右方向へ長い開口とするとともに、差込孔１０６の開口面積を、本体ケース１０４の前面側よりも本体ケース１０４内側の方を狭くしている。そして、差込孔１０６の内面（右側面）を、本体ケース１０４の前面側の開口縁から本体ケース１０４内側の開口縁にわたり、差込孔１０６を先細りさせるような傾斜面１０６ａとしている。したがって、該傾斜面１０６ａが、差込孔１０６へ差し込まれた測定端子１３２の先端を端子座１０９の接触部１１５へと誘導する案内面として機能し（図８に示す）、絶縁抵抗測定試験等をスムーズに実施可能な配線用遮断器１０１とすることができる上、従来周知の端子座９をそのまま利用することができ、製造コストの高騰を抑制することもできる。
【００２７】
なお、本発明の配線用遮断器に係る構成は、上記実施形態の態様に何ら限定されるものではなく、全体的な構成は勿論のこと、差込孔や端子座等に係る構成についても、本発明の趣旨を逸脱しない範囲で、必要に応じて適宜変更することができる。
【００２８】
たとえば、上記実施形態では、本体ケースの前面を傾斜面としているが、垂直面としてもよく、そのような垂直面に、たとえば後方へ向けて負荷配線を挿入するような端子孔を有する負荷側端子を設けることも可能である。このような場合、差込孔への測定端子の差し込み方向を傾斜方向として対応することも可能である。
また、上記実施形態では、差込孔への測定端子の差し込み方向が、端子孔への負荷配線の挿入方向と異なるように差込孔を開設しているが、測定端子の差し込み方向と負荷配線の挿入方向とを同方向としてもよい。
【００２９】
さらに、上記実施形態では、本体ケースの前面において、差込孔の開口が端子孔よりも右側にまで広がるようにしているが、言うまでもなく端子孔よりも左側にまで広がるようにしてもよいし、左右両側で端子孔よりも外側に広がるように差込孔を開設することも可能である。
さらにまた、本体ケースの前部に、使用しない端子孔や差込孔への負荷配線等の誤挿入を防止するカバー部材を設けることも可能である。
【００３０】
またさらに、上記実施形態では、差込孔の内面を、本体ケースの前面側の開口縁から本体ケース内側の開口縁にかけて全て傾斜面としているが、本体ケースの前面側の開口縁から本体ケース内側の開口縁にかけてのうちの一部のみ傾斜面とするような構成を採用することも当然考えられる。また、傾斜面に代えて、円周面や球面等のＲ面を差込孔の内面に設けることで、測定端子の先端を誘導するように構成することも可能であるし、差込孔の内面のうち外側を傾斜面とする一方、内側をＲ面とする等、傾斜面とＲ面との両方を差込孔の内面に設けるという構成を採用しても何ら問題はない。
【００３１】
加えて、補助金具をどのようにして本体ケース内に設置するかという構成についても適宜設計変更可能であり、たとえば本体ケースの凹部内に補助金具を収納可能な収納凹部を設け、該収納凹部に補助金具を収納させて設置するという構成や、補助金具に係止部を設け、端子座の接触部に係止させて設置するという構成等、別の構成を採用してもよい。尚、端子座と補助金具とを溶接等により予め一体化することも可能である。
【符号の説明】
【００３２】
１、１０１・・配線用遮断器、２、１０２・・電源側端子、３、１０３・・負荷側端子、４、１０４・・本体ケース、５、１０５・・・端子孔、６、１０６・・差込孔、６ａ・・１０６ａ・・傾斜面、９、１０９・・端子座、１５、１１５・・接触部、１６、１１６・・凹部、２１、１２１・・収納部、２２・・補助金具、２２ａ・・当接部、２２ｂ・・補助部、３１、１３１・・負荷配線、１３２・・測定端子。
【図１】
2020194670.tif 000003
【図２】
2020194670.tif 000004
【図３】
2020194670.tif 000005
【図４】
2020194670.tif 000006
【図５】
2020194670.tif 000007
【図６】
2020194670.tif 000008
【図７】
2020194670.tif 000009
【図８】
2020194670.tif 000010
【図９】
2020194670.tif 000011
【図１０】
2020194670.tif 000012
【図１１】
2020194670.tif 000013